(57)【要約】【課題】  捜索の能率を向上することができる位置確認システムを提供する。【解決手段】  それぞれ光信号を送信可能な複数個の照明器具１と、それぞれ被捜索者によって携行され照明器具１から送信された光信号を受信する少なくとも１個の携帯通信端末２と、それぞれ捜索者によって携行され携帯通信端末２の捜索を指示する操作入力を受け付けるとともに得られた結果を表示する少なくとも１個の呼出端末３と、非常信号の送信を指示する呼出信号を各照明器具１に対してそれぞれ送信するとともに、非常信号を受信した携帯通信端末２から通知信号を受信することにより該携帯通信端末２の位置を得て呼出端末３に適宜送信する呼出サーバ４とを備える。被捜索者が特別な操作を行うことなく捜索者に位置を知らせることができるから、捜索の能率を向上することができる。【選択図】図１
2009026147.tif 000002
【特許請求の範囲】
【請求項１】
それぞれ光信号を送信する複数個の照明器具と、
それぞれ被捜索者によって携行されて照明器具から光信号を受信する少なくとも１個の携帯通信端末とを備える位置確認システムであって、
トリガが入力されるトリガ入力部、照明器具との通信用の第１通信部、携帯通信端末との通信用の第２通信部、並びに、トリガ入力部にトリガが入力されたときに第１通信部を制御し各照明器具に対してそれぞれ所定の呼出信号を送信させる制御部を有する呼出装置を備え、
照明器具は、光源、光源を点灯させる点灯部、照明器具毎に予め割り当てられた照明器具情報が格納された記憶部、呼出装置との通信用の通信部、並びに、通信部に呼出信号が受信されたときに記憶部に格納された照明器具情報を含む非常信号が光源の光を媒体とした光信号として送信されるように点灯部を制御する制御部を有し、
携帯通信端末は、照明器具から光信号を受信する光受信部、呼出装置との通信用の通信部、並びに、光受信部において非常信号が受信されたときに通信部を制御し該非常信号に含まれていた照明器具情報を含む通知信号を呼出装置へ送信させる制御部を有し、
呼出装置は、第２通信部に受信された通知信号に示された照明器具情報が割り当てられた照明器具の位置が表示される表示部を有することを特徴とする位置確認システム。
【請求項２】
携帯通信端末は、予め携帯通信端末毎に割り当てられた通信端末情報が格納された記憶部を有し、通知信号には通信端末情報が含まれるものであって、
呼出装置は、それぞれ捜索者によって携行される少なくとも１個の呼出端末と、各呼出端末とそれぞれ通信可能な呼出サーバとからなり、
各呼出端末は、それぞれ、呼出サーバとの通信用の端末側通信部と、通信端末情報を指定して位置を要求する操作入力を受け付ける操作部と、操作部に前記操作入力が受け付けられたときに端末側通信部を制御し指定された通信端末情報を含む位置要求を呼出サーバに送信させる端末側制御部と、表示部とを有し、
呼出サーバは、呼出端末との通信用のサーバ側通信部と、第１通信部と、第２通信部と、トリガ入力部と、サーバ側通信部においていずれかの呼出端末から位置要求が受信されたとき、位置要求に含まれていた通信端末情報を含む通知信号が第２通信部に受信されていれば、サーバ側通信部を制御し、該通知信号から得られた位置を示す位置信号を、位置要求を送信した呼出端末へ送信させるサーバ側制御部とを有し、
位置要求を送信した呼出端末において、端末側制御部は、端末側通信部に位置信号が受信されると、表示部を制御し、位置信号に示された位置を表示させることを特徴とする請求項１記載の位置確認システム。
【発明の詳細な説明】
【技術分野】
【０００１】
本発明は、携帯通信端末の位置を確認する位置確認システムに関するものである。
【背景技術】
【０００２】
従来から、例えば携帯電話やＰＤＡのような携帯通信端末において、現在位置や災害時の避難経路といった情報を可視光通信によって受信して表示するサービスが提供されている（例えば、特許文献１参照）。
【特許文献１】特開２００７−３３１２５号公報
【発明の開示】
【発明が解決しようとする課題】
【０００３】
例えば被災地において、被災者が上記従来のサービスを用いて捜索を要請する場合、被災者が上記サービスによって得られた位置情報を電話により口頭で伝達する必要があったため、捜索の能率が低かった。
【０００４】
本発明は、上記事由に鑑みて為されたものであり、その目的は、捜索の能率を向上することができる位置確認システムを提供することにある。
【課題を解決するための手段】
【０００５】
請求項１の発明は、それぞれ光信号を送信する複数個の照明器具と、それぞれ被捜索者によって携行されて照明器具から光信号を受信する少なくとも１個の携帯通信端末とを備える位置確認システムであって、トリガが入力されるトリガ入力部、照明器具との通信用の第１通信部、携帯通信端末との通信用の第２通信部、並びに、トリガ入力部にトリガが入力されたときに第１通信部を制御し各照明器具に対してそれぞれ所定の呼出信号を送信させる制御部を有する呼出装置を備え、照明器具は、光源、光源を点灯させる点灯部、照明器具毎に予め割り当てられた照明器具情報が格納された記憶部、呼出装置との通信用の通信部、並びに、通信部に呼出信号が受信されたときに記憶部に格納された照明器具情報を含む非常信号が光源の光を媒体とした光信号として送信されるように点灯部を制御する制御部を有し、携帯通信端末は、照明器具から光信号を受信する光受信部、呼出装置との通信用の通信部、並びに、光受信部において非常信号が受信されたときに通信部を制御し該非常信号に含まれていた照明器具情報を含む通知信号を呼出装置へ送信させる制御部を有し、呼出装置は、第２通信部に受信された通知信号に示された照明器具情報が割り当てられた照明器具の位置が表示される表示部を有することを特徴とする。
【０００６】
この発明によれば、被捜索者が携帯通信端末に光信号を受信可能としておけば、他に何の操作を行わなくても捜索者に位置を知らせることができるから、捜索の能率を向上することができる。また、呼出装置のトリガ入力部にトリガが入力されたときのみ携帯通信端末から通知信号が送信されるのであり、トリガ入力部にトリガが入力されなければ携帯通信端末は通知信号を送信することがないから、プライバシーが過剰に侵害されることはない。
【０００７】
請求項２の発明は、請求項１の発明において、携帯通信端末は、予め携帯通信端末毎に割り当てられた通信端末情報が格納された記憶部を有し、通知信号には通信端末情報が含まれるものであって、呼出装置は、それぞれ捜索者によって携行される少なくとも１個の呼出端末と、各呼出端末とそれぞれ通信可能な呼出サーバとからなり、各呼出端末は、それぞれ、呼出サーバとの通信用の端末側通信部と、通信端末情報を指定して位置を要求する操作入力を受け付ける操作部と、操作部に前記操作入力が受け付けられたときに端末側通信部を制御し指定された通信端末情報を含む位置要求を呼出サーバに送信させる端末側制御部と、表示部とを有し、呼出サーバは、呼出端末との通信用のサーバ側通信部と、第１通信部と、第２通信部と、トリガ入力部と、サーバ側通信部においていずれかの呼出端末から位置要求が受信されたとき、位置要求に含まれていた通信端末情報を含む通知信号が第２通信部に受信されていれば、サーバ側通信部を制御し、該通知信号から得られた位置を示す位置信号を、位置要求を送信した呼出端末へ送信させるサーバ側制御部とを有し、位置要求を送信した呼出端末において、端末側制御部は、端末側通信部に位置信号が受信されると、表示部を制御し、位置信号に示された位置を表示させることを特徴とする。
【０００８】
この発明によれば、呼出端末は、呼出サーバと呼出端末とが分けられていない場合の呼出装置よりも小型化・軽量化といった携帯性の向上が可能であり、呼出端末の携行によって捜索の能率を更に向上することができる。また、携帯通信端末を個別に捜索することができる。
【発明の効果】
【０００９】
請求項１の発明によれば、携帯通信端末が、照明器具からの光信号である非常信号の受信により、呼出装置に対して位置を通知するので、被捜索者は、携帯通信端末に光信号を受信可能としておけば他に何の操作を行わなくても捜索者に位置を知らせることができるから、捜索の能率を向上することができる。また、呼出装置のトリガ入力部にトリガが入力されたときのみ携帯通信端末から通知信号が送信されるのであり、トリガ入力部にトリガが入力されなければ携帯通信端末は通知信号を送信することがないから、プライバシーが過剰に侵害されることはない。
【００１０】
請求項２の発明によれば、呼出装置が捜索者によって携行される呼出端末と呼出サーバとに分けられていることにより、捜索の能率を更に向上することができる。また、携帯通信端末を個別に捜索することができる。
【発明を実施するための最良の形態】
【００１１】
以下、本発明を実施するための最良の形態について、図面を参照しながら説明する。
【００１２】
本実施形態は、図１に示すように、それぞれ光信号を送信可能な複数個の照明器具１と、それぞれ例えば被災者のような被捜索者によって携行され照明器具１から送信された光信号を受信する少なくとも１個の携帯通信端末２と、それぞれ例えば災害救助隊員のような捜索者によって携行され携帯通信端末２の捜索を指示する操作入力を受け付けるとともに得られた結果を表示する少なくとも１個の呼出端末３と、位置の通知を要求する光信号である非常信号の送信を指示する呼出信号を各照明器具１に対してそれぞれ送信するとともに、非常信号を受信した携帯通信端末２から通知信号を受信することにより該携帯通信端末２の位置を得て呼出端末３に適宜送信する呼出サーバ４とを備える。
【００１３】
詳しく説明すると、呼出サーバ４は、図２に示すように、各照明器具１との通信用の第１通信部４１と、携帯通信端末２及び呼出端末３との通信用の第２通信部４２と、各通信部４１，４２をそれぞれ制御する制御部４３とを備える。第１通信部４１は、例えば時分割多重通信のような周知の技術により、接続された照明器具１のような機器と個別に通信可能なものである。また、第１通信部４１には、それぞれ火災を検知する複数個の周知の火災検知器（図示せず）が接続されている。各火災検知器には予め固有の検知器情報が割り当てられており、各火災検知器はそれぞれ火災を検知したときに検知器情報を含む火災検知信号を呼出サーバ４へ送信する。呼出サーバ４は、各火災検知器についてそれぞれ検知器情報と位置との対応関係が格納されるとともに、各照明器具１についてそれぞれ予め割り当てられた照明器具情報と位置との対応関係が格納された記憶部４４を有する。制御部４３は、第１通信部４１に火災検知信号が受信されると、該火災検知信号に含まれた検知器情報と記憶部４４に格納された対応関係とに基いて該火災検知信号を送信した火災検知器の位置を特定し、該火災検知器の位置に応じた所定の範囲内（例えば、該火災検知器から所定距離以内）にある照明器具１を検索するとともに、第１通信部４１を制御し、上記範囲内の各照明器具１に対し、それぞれ所定の呼出信号を送信させる。つまり、第１通信部４１は請求項におけるトリガ入力部でもある。また、第２通信部４２は請求項におけるサーバ側通信部でもある。
【００１４】
各照明器具１は、それぞれ、図３に示すように、光源１０と、制御装置２との通信用の通信部１１と、光源１０を点灯させる点灯部１２と、不揮発性メモリからなり照明器具１毎に予め割り当てられた照明器具情報が格納された記憶部１３と、通信部１１に呼出信号が受信されたときに記憶部１３に格納された照明器具情報が含まれる光信号である非常信号が光源１０の光を媒体として送信されるように点灯部１２を制御する制御部１４とを備える。通信部１１は、例えば信号線（図示せず）を介して呼出サーバ４の第１通信部４１に接続されたものである。また、光源１０としては例えば放電灯や発光ダイオードを用いることができ、点灯部１２としては例えば周知のインバータ回路や直流電源回路を用いることができる。さらに、光源１０と点灯部１２とを複数組用いてもよい。光源１０の光は、例えば人間の目に認識できない程度に高い周波数の搬送波を用いた周波数変調によって光信号となる。例えば、光源１０としての放電灯と点灯部１２としてのインバータ回路とを組み合わせて用いる場合、上記の周波数変調はインバータ回路が放電灯に供給する交流電力の周波数の制御によって実現可能である。また、照明器具１の電源としては、商用電源を用いるほか、電池（図示せず）を備え、停電時には電池を電源として動作可能とすることが望ましい。さらに、記憶部１３に照明器具情報を格納する手段としては、位置情報の入力操作を受け付ける操作部（図示せず）を設けてもよいし、位置情報の入力用の装置を接続するための端子（図示せず）を設けてもよい。
【００１５】
各携帯通信端末２は、それぞれ、図４に示すように、照明器具１から送信された光信号を受信する光受信部２１と、呼出サーバ４との通信用の通信部２２と、携帯通信端末２毎に予め割り当てられた例えばシリアルナンバーのような通信端末情報が格納された記憶部２３と、光受信部２１に非常信号が受信されたときに通信部２２を制御し該非常信号に含まれる照明器具情報と記憶部２３に格納された通信端末情報とを含む通知信号を呼出サーバ４へ送信させる制御部２４とを備える。携帯通信端末２としては例えば光信号を受信する機能を有する携帯電話を用いることができ、通信部２２としては通話用の無線信号の送受信部を用いることができる。また、光受信部２１は、入射した照明器具１の光を電気信号に変換する受光素子２１ａと、受光素子２１ａの出力を増幅する増幅回路２１ｂと、増幅回路２１ｂの出力からノイズを除去するＢＰＦ（Band Pass Filter）２１ｃと、ＢＰＦ２１ｃの出力を復調してデジタル信号を得て制御部２４に入力する復調回路２１ｄとからなる。受光素子２１ａとしては、例えばフォトダイオードや太陽電池を用いることができる。
【００１６】
呼出サーバ４では、通知信号が第２通信部４２に受信されると、制御部４３は、該通知信号に含まれる照明器具情報と記憶部４４に格納された対応関係とから該通知信号を送信した携帯通信端末２の位置（正確には該携帯通信端末２に最も近い照明器具１の位置）を得て、得られた位置の情報を該通知信号に含まれる通信端末情報に関連付けて記憶部４４に格納する。ここで、同じ通信端末情報に関連付けられた位置の情報が既に記憶部４４に格納されていた場合は、新しい位置の情報に更新する。
【００１７】
各呼出端末３は、それぞれ、図５に示すように、捜索者による操作入力を受け付ける操作部３１と、呼出サーバ４との通信用の通信部３２と、例えば液晶パネルからなり各種の表示がなされる表示部３３と、操作部３１への操作入力と通信部３２において呼出サーバ４から受信された信号とに応じて通信部３２と表示部３３とをそれぞれ制御する制御部３４とを備える。操作部３１では通信端末情報を指定して特定の携帯通信端末２の捜索が指示される。すなわち、操作部３１において上記操作入力が受け付けられると、制御部３４は、通信部３２を制御し、上記操作入力において指定された通信端末情報を含む位置要求を呼出サーバ４へ送信させる。通信部３２は、例えば、携帯電話の基地局との間で電波を媒体とする無線信号を送受信することにより、公衆網を介して呼出サーバ４との間でデータの授受を行うものである。
【００１８】
制御部４３は、第２通信部４２に位置要求が受信されたとき、位置要求に含まれる通信端末情報に関連付けられた携帯通信端末２の位置の情報が記憶部４４に格納されていれば、該位置の情報を含む位置信号を、位置要求を送信した呼出端末３に対して送信させる。
【００１９】
位置要求を送信した呼出端末３では、通信部３２に位置信号が受信されると、制御部３４は表示部３３を制御し、受信された位置信号に含まれた位置の情報を表示させる。
【００２０】
上記構成によれば、被捜索者が携帯通信端末２に光信号を受信可能としておけば、他に何の操作を行わなくても捜索者に位置を知らせることができるから、捜索の能率を向上することができる。また、火災検知信号に対応した範囲で非常信号を受信した携帯通信端末２のみが通知信号を送信するのであり、上記範囲外の携帯通信端末は通知信号を送信することがないから、プライバシーが過剰に侵害されることはない。
【００２１】
なお、携帯通信端末２に、各照明器具１からの光信号により得られた自己の位置を表示する例えば液晶パネルのような表示部（図示せず）を設けてもよい。具体的には、各照明器具１の制御部１４は、それぞれ、非常信号を送信しないときには照明器具情報を含む信号であって非常信号とは異なる光信号である通常信号を送信するように点灯部１２を制御するものとする。また、携帯通信端末２では、制御部２４は、光受信部２１に非常信号と通常信号とのいずれかが受信されたとき、該非常信号又は該通常信号に含まれる照明器具情報から、該非常信号又は該通常信号を送信した照明器具１の位置を得るとともに、得られた位置を表示部において例えば地図上の点として表示させる。ここで、受信された光信号が非常信号である場合には既に述べたように通知信号が送信されるのに対し、受信された光信号が通常信号である場合には通知信号は送信されない。さらに、携帯通信端末２において、操作入力を受け付ける操作部（図示せず）を設けるとともに、光受信部２１に通常信号が受信された場合に、制御部２４が表示部を制御し、自身の位置を呼出サーバ４へ通知するか否かの選択を促す表示を行わせ、その後に操作部において通知を選択する操作入力が受け付けられたときに制御部２４が通信部２２を制御して上記通常信号に含まれる照明器具情報と記憶部２３に格納された通信端末情報とを含む通知信号を呼出サーバ４に送信させるようにしてもよい。すなわち、通常信号の受信毎に必ず通知信号が送信される構成とする場合には発生しうるプライバシーの問題を、通知信号の送信の可否を携帯通信端末２の所持者（被捜索者）に選択させることで解消するのである。
【００２２】
また、トリガは上記のように第１通信部４１に入力される火災検知信号に限られず、火災検知器以外から出力されるものであってもよいし、例えば公衆網を介して第２通信部４２に入力されるものであってもよい。第２通信部４２から入力されるトリガを用いる場合、第２通信部４２が請求項におけるトリガ入力部となる。
【００２３】
さらに、照明器具情報は、照明器具１の位置を直接に示すものであってもよい。この場合、呼出サーバ４において、通知信号を送信した携帯通信端末２に最も近い照明器具１の位置を得る際に、記憶部４４に格納された対応関係を用いる必要はない。
【００２４】
また、呼出端末３や携帯通信端末２において、表示される位置を地図上に示す場合、地図のデータが別途に必要となるが、このような地図のデータは予め呼出端末３や携帯通信端末２に保持されたものであってもよいし、呼出サーバ４との通信や照明器具１からの光信号によって得られるものであってもよい。
【図面の簡単な説明】
【００２５】
【図１】本発明の実施形態を示すブロック図である。
【図２】同上の呼出サーバを示すブロック図である。
【図３】同上の照明器具を示すブロック図である。
【図４】同上の携帯通信端末を示すブロック図である。
【図５】同上の呼出端末を示すブロック図である。
【符号の説明】
【００２６】
１  照明器具
２  携帯通信端末
３  呼出端末
４  呼出サーバ
１０  光源
１１  通信部
１２  点灯部
１３  記憶部
１４  制御部
２１  光受信部
２２  通信部
２４  制御部
３１  操作部
３２  通信部（請求項における端末側通信部）
３３  表示部
３４  制御部（請求項における端末側制御部）
４１  第１通信部（請求項におけるトリガ入力部）
４２  第２通信部（請求項におけるサーバ側通信部）
４３  制御部（請求項におけるサーバ側制御部）
【図１】
2009026147.tif 000003
【図２】
2009026147.tif 000004
【図３】
2009026147.tif 000005
【図４】
2009026147.tif 000006
【図５】
2009026147.tif 000007